(57)【要約】【課題】薄膜化合物太陽電池の短絡発生を抑制する。【解決手段】第１電極は、平面視において光電変換層１３０の一方の端部に位置してインターコネクタと接続される第１電極パッド１４０、および、第１電極パッド１４０と繋がったグリッド電極を含む。第２電極は、平面視において光電変換層１３０の他方の端部かつグリッド電極の先端側に位置してインターコネクタと接続される第２電極パッド１５０で構成されている。第２電極パッド１５０およびグリッド電極は、グリッド電極の先端部が光電変換層１３０の他方の端部側の縁から所定の範囲内において剥離した際にこの先端部と第２電極パッド１５０とが接触しないように、互いの間の距離を維持するように形成されている。【選択図】図８
2013247223.tif 000002
【特許請求の範囲】
【請求項１】
少なくとも１つのｐｎ接合を含み受光面を有する光電変換層と、
前記光電変換層の前記受光面上に位置して第１の極性を有する第１電極と、
前記光電変換層の前記受光面側で前記第１電極とは異なる表面上に位置して、前記第１の極性とは異なる第２の極性を有する第２電極と
を備え、
前記第１電極は、平面視において前記光電変換層の一方の端部に位置してインターコネクタと接続される第１電極パッド、および、該第１電極パッドと繋がったグリッド電極を含み、
前記第２電極は、平面視において前記光電変換層の他方の端部かつ前記グリッド電極の先端側に位置してインターコネクタと接続される第２電極パッドで構成され、
前記第２電極パッドおよび前記グリッド電極は、前記グリッド電極の先端部が前記光電変換層の前記他方の端部側の縁から所定の範囲内において剥離した際に該先端部と前記第２電極パッドとが接触しないように、互いの間の距離を維持するように形成されている、薄膜化合物太陽電池。
【請求項２】
前記グリッド電極は、平面視において櫛歯状の形状を有している、請求項１に記載の薄膜化合物太陽電池。
【請求項３】
前記グリッド電極は、平面視において、前記光電変換層の前記一方の端部側の縁に沿って、前記一方の端部側の縁と前記他方の端部側の縁とを最短で結ぶ方向に対して直交する方向に延在するメイングリッド、および、該メイングリッドの延在方向と直交する方向に延在するサブグリッドを含み、
前記サブグリッドの前記先端部は、平面視において、前記光電変換層の前記他方の端部側の縁からの前記所定の範囲における境界位置を中心として前記第２電極パッドと外接する円の内側に位置する、請求項２に記載の薄膜化合物太陽電池。
【請求項４】
前記所定の範囲は、前記一方の端部側の縁と前記他方の端部側の縁とを最短で結ぶ前記方向における前記光電変換層の長さの１/３未満である、請求項３に記載の薄膜化合物太陽電池。
【請求項５】
前記光電変換層は、平面視において矩形状の外形を有し、
前記第１電極パッドは、平面視において前記光電変換層の前記一方の端部側のいずれかの隅部に位置し、
前記第２電極パッドは、平面視において前記光電変換層の前記他方の端部側で前記隅部とは対角に位置し、
前記グリッド電極は、平面視において、前記光電変換層の前記隅部を構成する互いに直交する縁に沿って延在するメイングリッド、および、該メイングリッドの延在方向と直交する方向に延在するサブグリッドを含み、
前記サブグリッドの前記先端部は、平面視において、前記第２電極パッドとの間に間隔を有している、請求項１に記載の薄膜化合物太陽電池。
【発明の詳細な説明】
【技術分野】
【０００１】
本発明は、薄膜化合物太陽電池に関する。
【背景技術】
【０００２】
インターコネクタに接続される両方の電極が受光面側に形成された薄膜化合物太陽電池を含む太陽電池アレイを開示した先行文献として、特開２００９−４４０４９号公報(特許文献１)がある。
【０００３】
特許文献１に記載された太陽電池アレイに含まれる薄膜化合物太陽電池は、少なくとも１つのｐｎ接合を有する光電変換層の受光面上に形成された第１の極性を有する第１電極と、光電変換層の受光面側で、第１電極とは異なる表面上に形成された第２の極性を有する第２電極とを備えている。第１電極は、グリッド電極を含んでいる。グリッド電極は、メイングリッド、および、メイングリッドより細くメイングリッドと直交するサブグリッドから構成されている。
【先行技術文献】
【特許文献】
【０００４】
【特許文献１】特開２００９−４４０４９号公報
【発明の概要】
【発明が解決しようとする課題】
【０００５】
サブグリッドはメイングリッドと比較して細いため、光電変換層との密着力が比較的弱い。そのため、薄膜化合物太陽電池の製造時にサブグリッドの先端部が、光電変換層から剥離することがある。剥離したサブグリッドの先端部が第２電極と接触すると、薄膜化合物太陽電池が短絡する。インターコネクタにより接続された複数の薄膜化合物太陽電池の中に短絡した薄膜化合物太陽電池が含まれている場合、太陽電池アレイの発電力が低下する。
【０００６】
本発明は上記の問題点に鑑みてなされたものであって、短絡発生を抑制することができる薄膜化合物太陽電池を提供することを目的とする。
【課題を解決するための手段】
【０００７】
本発明に基づく薄膜化合物太陽電池は、少なくとも１つのｐｎ接合を含み受光面を有する光電変換層と、光電変換層の受光面上に位置して第１の極性を有する第１電極と、光電変換層の受光面側で第１電極とは異なる表面上に位置して、第１の極性とは異なる第２の極性を有する第２電極とを備える。第１電極は、平面視において光電変換層の一方の端部に位置してインターコネクタと接続される第１電極パッド、および、第１電極パッドと繋がったグリッド電極を含む。第２電極は、平面視において光電変換層の他方の端部かつグリッド電極の先端側に位置してインターコネクタと接続される第２電極パッドで構成されている。第２電極パッドおよびグリッド電極は、グリッド電極の先端部が光電変換層の他方の端部側の縁から所定の範囲内において剥離した際にこの先端部と第２電極パッドとが接触しないように、互いの間の距離を維持するように形成されている。
【０００８】
本発明の一形態においては、グリッド電極は、平面視において櫛歯状の形状を有している。
【０００９】
本発明の一形態においては、グリッド電極は、平面視において、光電変換層の一方の端部側の縁に沿って、一方の端部側の縁と他方の端部側の縁とを最短で結ぶ方向に対して直交する方向に延在するメイングリッド、および、メイングリッドの延在方向と直交する方向に延在するサブグリッドを含む。サブグリッドの先端部は、平面視において、光電変換層の他方の端部側の縁からの上記所定の範囲における境界位置を中心として第２電極パッドと外接する円の内側に位置する。
【００１０】
本発明の一形態においては、上記所定の範囲は、一方の端部側の縁と他方の端部側の縁とを最短で結ぶ方向における光電変換層の長さの１/３未満である。
【００１１】
本発明の一形態においては、光電変換層は、平面視において矩形状の外形を有している。第１電極パッドは、平面視において光電変換層の一方の端部側のいずれかの隅部に位置している。第２電極パッドは、平面視において光電変換層の他方の端部側で上記隅部とは対角に位置している。グリッド電極は、平面視において、光電変換層の上記隅部を構成する互いに直交する縁に沿って延在するメイングリッド、および、メイングリッドの延在方向と直交する方向に延在するサブグリッドを含む。サブグリッドの先端部は、平面視において、第２電極パッドとの間に間隔を有している。
【発明の効果】
【００１２】
本発明によれば、薄膜化合物太陽電池の短絡発生を抑制することができる。
【図面の簡単な説明】
【００１３】
【図１】比較形態に係る薄膜化合物太陽電池を受光面側から見た平面図である。
【図２】図１のＩＩ−ＩＩ線矢印方向から見た断面図である。
【図３】複数の薄膜化合物太陽電池がインターコネクタで接続された太陽電池アレイを樹脂フィルムにより封止した状態を示す断面図である。
【図４】複数の薄膜化合物太陽電池がインターコネクタで接続された太陽電池アレイの受光面側にガラス板を接着した状態を示す断面図である。
【図５】比較形態において、剥離したサブグリッドの先端部が第２電極パッドと接触した状態を示す平面図である。
【図６】比較形態において、剥離が発生したサブグリッドの剥離した部分と剥離していない部分との境界位置の分布を示すグラフである。
【図７】本発明の実施形態１に係る薄膜化合物太陽電池を受光面側から見た平面図である。
【図８】同実施形態においてサブグリッドの先端部と第２電極パッドとの位置関係を示す平面図である。
【図９】本発明の実施形態２に係る薄膜化合物太陽電池を受光面側から見た平面図である。
【図１０】同実施形態においてサブグリッドの先端部と第２電極パッドとの位置関係を示す平面図である。
【図１１】本発明の実施形態３に係る薄膜化合物太陽電池を受光面側から見た平面図である。
【図１２】同実施形態においてサブグリッドの先端部と第２電極パッドとの位置関係を示す平面図である。
【図１３】本発明の実施形態４に係る薄膜化合物太陽電池を受光面側から見た平面図である。
【図１４】同実施形態においてサブグリッドの先端部と第２電極パッドとの位置関係を示す平面図である。
【図１５】本発明の実施形態５に係る薄膜化合物太陽電池を受光面側から見た平面図である。
【図１６】同実施形態においてサブグリッドの先端部と第２電極パッドとの位置関係を示す平面図である。
【図１７】本発明の実施形態６に係る薄膜化合物太陽電池を受光面側から見た平面図である。
【発明を実施するための形態】
【００１４】
まず、比較形態に係る薄膜化合物太陽電池について図を参照して説明する。以下の比較形態および実施形態の説明においては、図中の同一または相当部分には同一符号を付して、その説明は繰り返さない。
【００１５】
(比較形態)
図１は、比較形態に係る薄膜化合物太陽電池を受光面側から見た平面図である。図２は、図１のＩＩ−ＩＩ線矢印方向から見た断面図である。
【００１６】
図１，２に示すように、比較形態に係る薄膜化合物太陽電池９００においては、少なくとも１つのｐｎ接合を含み受光面を有する光電変換層９３０と、光電変換層９３０の受光面上に位置して第１の極性であるｎ型を有する第１電極と、光電変換層９３０の受光面側で第１電極とは異なる表面上に位置して、第１の極性とは異なる第２の極性であるｐ型を有する第２電極とを備えている。なお、第１の極性がｐ型で、第２の極性がｎ型であってもよい。
【００１７】
さらに、薄膜化合物太陽電池９００においては、光電変換層９３０の受光面側とは反対側の面に、裏面電極９２０が設けられている。裏面電極９２０の下面に、ポリイミドなどの樹脂からなる基材９１０が設けられている。比較形態においては、光電変換層９３０および基材９１０は、平面視において矩形状の外形を有している。
【００１８】
第１電極は、光電変換層９３０内において受光面側に位置するｎ型半導体層と接続されることによりｎ型の極性を有している。第１電極は、平面視において光電変換層９３０の一方の端部に位置してインターコネクタと接続される第１電極パッド９４０、および、第１電極パッド９４０と繋がったグリッド電極を含む。
【００１９】
比較形態においては、第１電極パッド９４０は、平面視において正方形の外形を有している。グリッド電極は、平面視において櫛歯状の形状を有している。
【００２０】
具体的には、グリッド電極は、平面視において、光電変換層９３０の一方の端部側である図１中の上端側の縁に沿って、一方の端部側の縁と他方の端部側の縁とを最短で結ぶ方向である図１中の上下方向に対して直交する方向である図１中の左右方向に延在するメイングリッド９４２、および、メイングリッド９４２の延在方向と直交する方向である図１中の上下方向に延在するサブグリッド９４１を含む。
【００２１】
メイングリッド９４２は、いわゆるバスバー電極である。メイングリッド９４２は、集電電極の機能を有しているため、サブグリッド９４１より太く形成されている。
【００２２】
サブグリッド９４１は、光電変換層９３０から電流を取り出す機能を有している。サブグリッド９４１が光電変換層９３０の全体に亘って形成されている場合、電流の取り出し効率を高くすることができる一方、光電変換層９３０の受光面積が減少する。そのため、サブグリッド９４１は、メイングリッド９４２からメイングリッド９４２側とは反対側の端部まで細長く形成されている。
【００２３】
第２電極は、光電変換層９３０内においてｎ型半導体層の下方に位置するｐ型半導体層と接続されることによりｐ型の極性を有している。第２電極は、平面視において光電変換層９３０の他方の端部かつグリッド電極の先端側に位置してインターコネクタと接続される第２電極パッド９５０で構成されている。なお、グリッド電極の先端とは、サブグリッド９４１におけるメイングリッド９４２側とは反対側の先端のことである。比較形態においては、第２電極パッド９５０は、平面視において正方形の外形を有している。
【００２４】
薄膜化合物太陽電池９００は、樹脂フィルムにより封止、または、ガラス板が受光面側に接着されて保護された状態で使用される。
【００２５】
図３は、複数の薄膜化合物太陽電池がインターコネクタで接続された太陽電池アレイを樹脂フィルムにより封止した状態を示す断面図である。図４は、複数の薄膜化合物太陽電池がインターコネクタで接続された太陽電池アレイの受光面側にガラス板を接着した状態を示す断面図である。
【００２６】
図３，４に示すように、複数の薄膜化合物太陽電池９００において隣接する薄膜化合物太陽電池９００同士がインターコネクタ９９０により接続されることにより、太陽電池アレイが構成される。
【００２７】
図３に示すように、太陽電池アレイは、接着剤９６０により、受光面側および受光面側とは反対側に樹脂フィルム９７０を接着されることにより封止される。または、図４に示すように、太陽電池アレイは、接着剤９６０により、受光面側にガラス板９８０を接着されることにより受光面側を保護される。
【００２８】
図１に示すように、比較形態に係る薄膜化合物太陽電池９００においては、中央の２本のサブグリッド９４１を除いて、他のサブグリッド９４１は光電変換層の図１中の上端側から下端側まで形成されている。
【００２９】
なお、図１においては、光電変換層９３０の長さをＬｃとして、光電変換層９３０の図１中の下端からＬｃ／２の位置、Ｌｃ／３の位置、Ｌｃ／５の位置、Ｌｃ／１０の位置を一点鎖線で示している。
【００３０】
図１に示すように、比較形態においては、中央の２本のサブグリッド９４１の先端部は、光電変換層９３０の図１中の下端からＬｃ／１０以上Ｌｃ／５未満の範囲に位置している。その他のサブグリッド９４１の先端部は、光電変換層９３０の図１中の下端からＬｃ／１０未満の範囲に位置している。
【００３１】
上述の通り、サブグリッド９４１は、細長く形成されているため、メイングリッド９４２と比較して光電変換層９３０との密着力が比較的弱い。そのため、薄膜化合物太陽電池９００の製造時にサブグリッド９４１の先端部が、光電変換層９３０から剥離することがある。
【００３２】
サブグリッド９４１の先端部が剥離した状態で、上記のように薄膜化合物太陽電池９００を封止または保護すると、その剥離したサブグリッド９４１の先端部が第２電極パッド９５０と接触することがある。
【００３３】
図５は、比較形態において、剥離したサブグリッドの先端部が第２電極パッドと接触した状態を示す平面図である。図５に示すように、剥離したサブグリッド９４１の先端部９４１ａが第２電極パッド９５０と接触した場合、薄膜化合物太陽電池９００が短絡して発電機能を喪失する。このような発電機能を喪失した薄膜化合物太陽電池９００が、インターコネクタにより接続された複数の薄膜化合物太陽電池９００の中に含まれた場合、太陽電池アレイの発電力が低下する。
【００３４】
そこで、比較形態の薄膜化合物太陽電池９００において、剥離が発生したサブグリッド９４１の剥離した部分と剥離していない部分との境界位置について、光電変換層９３０の図１中の下端からの距離範囲ごとの分布を調べた。
【００３５】
図６は、比較形態において、剥離が発生したサブグリッドの剥離した部分と剥離していない部分との境界位置の分布を示すグラフである。図６においては、縦軸に発生率を、横軸に、剥離が発生したサブグリッド９４１の剥離した部分と剥離していない部分との境界位置が位置する範囲を示している。
【００３６】
図６に示すように、剥離が発生したサブグリッド９４１の剥離した部分と剥離していない部分との境界位置が、光電変換層９３０の図１中の下端から、Ｌｃ／１０未満の範囲に位置する剥離の発生率が約８．０％、Ｌｃ／１０以上Ｌｃ／５未満の範囲に位置する剥離の発生率が約２．０％、Ｌｃ／５以上Ｌｃ／３未満の範囲に位置する剥離の発生率が約０．５％、Ｌｃ／３以上Ｌｃ／２未満の範囲に位置する剥離の発生率が約０．２％、Ｌｃ／２以上Ｌｃ未満の範囲に位置する剥離の発生率が約０％であった。
【００３７】
よって、剥離が発生したサブグリッド９４１の剥離した部分と剥離していない部分との境界位置が、光電変換層９３０の図１中の下端からＬｃ／３未満の範囲に位置する確率は、約９８％でありほとんどであった。
【００３８】
そこで、本発明に係る薄膜化合物太陽電池においては、サブグリッドの先端部と第２電極パッドとが接触しないように、第２電極パッドとサブグリッドの先端部との間の距離を維持するように第２電極パッドおよびグリッド電極を形成している。
【００３９】
以下、本発明の実施形態１に係る薄膜化合物太陽電池について図を参照して説明する。なお、本実施形態に係る薄膜化合物太陽電池は、平面視におけるサブグリッドの形状のみ比較形態に係る薄膜化合物太陽電池と異なるため、他の構成については説明を繰り返さない。
【００４０】
(実施形態１)
図７は、本発明の実施形態１に係る薄膜化合物太陽電池を受光面側から見た平面図である。図８は、本実施形態においてサブグリッドの先端部と第２電極パッドとの位置関係を示す平面図である。なお、図７，８においては、図７，８中の上下方向における光電変換層１３０の長さをＬｃとして、光電変換層１３０の図１中の下端からＬｃ／３の位置を一点鎖線１０で示している。
【００４１】
図７に示すように、本実施形態においては、光電変換層１３０および基材１１０は、平面視において矩形状の外形を有している。ただし、光電変換層１３０および基材１１０の形状は矩形状に限られず、円形または矩形状以外の多角形などでもよい。
【００４２】
また、第１電極パッド１４０および第２電極パッド１５０は、平面視において正方形の外形を有している。ただし、第１電極パッド１４０および第２電極パッド１５０の平面視形状は、正方形に限られず、それぞれ異なる形状を有していてもよい。
【００４３】
第１電極パッド１４０は、光電変換層１３０の図７中の上端側および左右方向の中央に位置している。第２電極パッド１５０は、光電変換層１３０の図７中の下端側および左右方向の中央に位置している。ただし、第１電極パッド１４０および第２電極パッド１５０の図７中の左右方向の位置は上記に限られず、互いにずれていてもよい。
【００４４】
本実施形態においては、グリッド電極は、平面視において櫛歯状の形状を有している。具体的には、グリッド電極は、平面視において、光電変換層１３０の一方の端部側である図７中の上端側の縁に沿って、一方の端部側の縁と他方の端部側の縁とを最短で結ぶ方向である図７中の上下方向に対して直交する方向である図７中の左右方向に延在するメイングリッド１４２、および、メイングリッド１４２の延在方向と直交する方向である図７中の上下方向に延在するサブグリッド１４１を含む。
【００４５】
第２電極パッド１５０およびグリッド電極は、サブグリッド１４１の先端部が光電変換層１３０の図７中の下端側の縁から所定の範囲内において剥離した際にサブグリッド１４１の先端部と第２電極パッド１５０とが接触しないように、互いの間の距離を維持するように形成されている。
【００４６】
上記の比較形態の図６に示す結果から、本実施形態においては、サブグリッド１４１が図７中の下端側の縁からＬｃ／３未満の範囲内において剥離した際にサブグリッド１４１の先端部と第２電極パッド１５０とが接触しないように、第２電極パッド１５０およびグリッド電極を形成している。ただし、上記所定の範囲は、サブグリッドの細さおよび厚さなどの様々な要素により適宜設定されるものである。
【００４７】
図８に示すように、第２電極パッド１５０は、一辺の長さがＬ1の正方形の外形を有している。複数のサブグリッド１４１は、第２電極パッド１５０から離れるにしたがって長くなるように形成されている。
【００４８】
仮にサブグリッド１４１が図８中の下端側の縁からＬｃ／３の位置まで剥離した場合に、サブグリッド１４１の先端部と第２電極パッド１５０の縁とが接触するようにサブグリッド１４１の長さを規定することにより、サブグリッド１４１が図８中の下端側の縁からＬｃ／３未満の範囲内において剥離した際にサブグリッド１４１の先端部と第２電極パッド１５０とが接触しないようにすることができる。
【００４９】
そのため、本実施形態においては、サブグリッド１４１と一点鎖線１０との交点を中心として、第２電極パッド１５０の外形と外接する仮想円の内側にサブグリッド１４１の先端部を配置している。
【００５０】
また、サブグリッド１４１が長い方が電流の取り出し効率がよくなるため、サブグリッド１４１の先端が上記仮想円上に位置していることが好ましい。すなわち、サブグリッド１４１が図８中の下端側の縁からＬｃ／３の長さだけ剥離した場合に第２電極パッド１５０の外形と外接するように、サブグリッド１４１の長さを規定することが好ましい。
【００５１】
具体的には、本実施形態において以下のように複数のサブグリッド１４１の長さを規定している。
【００５２】
複数のサブグリッド１４１のうち、図８中の左右方向の中央に位置する２本のサブグリッド１４１は、第１電極パッド１４０と第２電極パッド１５０とを結ぶ直線上に略位置しており、かつ、第２電極パッド１５０とサブグリッド１４１の先端部との間に間隔を有している。そのため、この中央に位置する２本のサブグリッド１４１の先端部が剥離したとしても、その先端部が第２電極パッド１５０に接触することはない。
【００５３】
図８中の左右方向の中央に位置する上記の２本のサブグリッド１４１の左隣に位置するサブグリッド１４１ａの先端部は、サブグリッド１４１ａと一点鎖線１０との交点１０ａを中心として、第２電極パッド１５０の外形と外接する仮想円２０ａの内側に位置している。
【００５４】
サブグリッド１４１ａの図８中の左隣に位置するサブグリッド１４１ｂの先端部は、サブグリッド１４１ｂと一点鎖線１０との交点１０ｂを中心として、第２電極パッド１５０の外形と外接する仮想円２０ｂの内側に位置している。
【００５５】
サブグリッド１４１ｂの図８中の左隣に位置するサブグリッド１４１ｃの先端部は、サブグリッド１４１ｃと一点鎖線１０との交点１０ｃを中心として、第２電極パッド１５０の外形と外接する仮想円２０ｃの内側に位置している。
【００５６】
サブグリッド１４１ｃの図８中の左隣に位置するサブグリッド１４１ｄの先端部は、サブグリッド１４１ｄと一点鎖線１０との交点１０ｄを中心として、第２電極パッド１５０の外形と外接する仮想円２０ｄの内側に位置している。
【００５７】
サブグリッド１４１ｄの図８中の左隣に位置するサブグリッド１４１ｅの先端部は、サブグリッド１４１ｅと一点鎖線１０との交点１０ｅを中心として、第２電極パッド１５０の外形と外接する仮想円２０ｅの内側に位置している。
【００５８】
仮想円２０ｅの半径は略Ｌｃ／３であるため、複数のサブグリッド１４１のうち、サブグリッド１４１ｅの図８中の左側に位置するサブグリッド１４１は、サブグリッド１４１ｅと同じ長さで形成されている。
【００５９】
同様に、図８中の左右方向の中央に位置する上記の２本のサブグリッド１４１の右隣に位置するサブグリッド１４１ｆの先端部は、サブグリッド１４１ｆと一点鎖線１０との交点１０ｆを中心として、第２電極パッド１５０の外形と外接する仮想円２０ｆの内側に位置している。
【００６０】
サブグリッド１４１ｆの図８中の右隣に位置するサブグリッド１４１ｇの先端部は、サブグリッド１４１ｇと一点鎖線１０との交点１０ｇを中心として、第２電極パッド１５０の外形と外接する仮想円２０ｇの内側に位置している。
【００６１】
サブグリッド１４１ｇの図８中の右隣に位置するサブグリッド１４１ｈの先端部は、サブグリッド１４１ｈと一点鎖線１０との交点１０ｈを中心として、第２電極パッド１５０の外形と外接する仮想円２０ｈの内側に位置している。
【００６２】
サブグリッド１４１ｈの図８中の右隣に位置するサブグリッド１４１ｉの先端部は、サブグリッド１４１ｉと一点鎖線１０との交点１０ｉを中心として、第２電極パッド１５０の外形と外接する仮想円２０ｉの内側に位置している。
【００６３】
サブグリッド１４１ｉの図８中の右隣に位置するサブグリッド１４１ｊの先端部は、サブグリッド１４１ｊと一点鎖線１０との交点１０ｊを中心として、第２電極パッド１５０の外形と外接する仮想円２０ｊの内側に位置している。
【００６４】
仮想円２０ｊの半径は略Ｌｃ／３であるため、複数のサブグリッド１４１のうち、サブグリッド１４１ｊの図８中の右側に位置するサブグリッド１４１は、サブグリッド１４１ｊと同じ長さで形成されている。
【００６５】
このように、第２電極パッド１５０およびグリッド電極が互いの間の距離を維持するように形成されていることにより、グリッド電極の先端部が光電変換層１３０の図８中の下端側の縁からＬｃ／３未満の範囲内において剥離した際に、グリッド電極の先端部と第２電極パッド１５０とが接触することがないため、薄膜化合物太陽電池１００が短絡することを防止できる。その結果、サブグリッド１４１に剥離が生じた場合のほとんどにおいて、薄膜化合物太陽電池１００の短絡発生を抑制できる。
【００６６】
よって、インターコネクタにより接続された複数の薄膜化合物太陽電池１００の中に短絡した薄膜化合物太陽電池が含まれることを抑制できるため、太陽電池アレイの発電力を安定させることができる。
【００６７】
なお、本実施形態においては、第２電極パッド１５０およびグリッド電極は、グリッド電極の先端部が光電変換層１３０の他方の端部側の縁から所定の範囲内において剥離した際にこの先端部と第２電極パッド１５０とが接触しないように、互いの間の距離を維持するように形成されているが、第２電極パッド１５０の下方に位置する光電変換層１３０の一部とグリッド電極の先端部とが接触しないように第２電極パッド１５０およびグリッド電極が形成されていることがさらに好ましい。第２電極パッド１５０の下方に位置する光電変換層１３０の一部とグリッド電極とは互いに異なる極性を有しているため、両者を接触させないことにより、発電力の低下を抑制できる。
【００６８】
以下、本発明の実施形態２に係る薄膜化合物太陽電池について説明する。なお、本実施形態に係る薄膜化合物太陽電池２００は、第２電極パッドの形状のみ実施形態１に係る薄膜化合物太陽電池１００と異なるため、他の構成については説明を繰り返さない。
【００６９】
(実施形態２)
図９は、本発明の実施形態２に係る薄膜化合物太陽電池を受光面側から見た平面図である。図１０は、本実施形態においてサブグリッドの先端部と第２電極パッドとの位置関係を示す平面図である。なお、図１０においては、図１０中の上下方向における光電変換層２３０の長さをＬｃとして、光電変換層２３０の図１０中の下端からＬｃ／３の位置を一点鎖線１２で示している。
【００７０】
図９に示すように、本実施形態においては、光電変換層２３０および基材２１０は、平面視において矩形状の外形を有している。第１電極パッド２４０は、平面視において正方形の外形を有している。第２電極パッド２５０は、平面視において半円形の外形を有している。なお、本実施形態の第２電極パッド２５０は、実施形態１の第２電極パッド１５０と同一の面積を有しており、インターコネクタとの接触面積は実施形態１の第２電極パッド１５０と同一である。グリッド電極は、平面視において櫛歯状の形状を有している。グリッド電極は、メイングリッド２４２およびサブグリッド２４１を含む。
【００７１】
第２電極パッド２５０およびグリッド電極は、サブグリッド２４１の先端部が光電変換層２３０の図９中の下端側の縁から所定の範囲内において剥離した際にサブグリッド２４１の先端部と第２電極パッド２５０とが接触しないように、互いの間の距離を維持するように形成されている。
【００７２】
上記の比較形態の図６に示す結果から、本実施形態においては、サブグリッド２４１が図９中の下端側の縁からＬｃ／３未満の範囲内において剥離した際にサブグリッド２４１の先端部と第２電極パッド２５０とが接触しないように、第２電極パッド２５０およびグリッド電極を形成している。ただし、上記所定の範囲は、サブグリッドの細さおよび厚さなどの様々な要素により適宜設定されるものである。
【００７３】
図１０に示すように、第２電極パッド２５０は、直径がＬ2の半円形の外形を有している。複数のサブグリッド２４１は、第２電極パッド２５０から離れるにしたがって長くなるように形成されている。
【００７４】
本実施形態においては、サブグリッド２４１と一点鎖線１２との交点を中心として、第２電極パッド２５０の外形と外接する仮想円の内側にサブグリッド２４１の先端部を配置している。
【００７５】
また、サブグリッド２４１が長い方が電流の取り出し効率がよくなるため、サブグリッド２４１の先端が上記仮想円上に位置していることが好ましい。すなわち、サブグリッド２４１が図１０中の下端側の縁からＬｃ／３の長さだけ剥離した場合に第２電極パッド２５０の外形と外接するように、サブグリッド２４１の長さを規定することが好ましい。
【００７６】
具体的には、本実施形態において以下のように複数のサブグリッド２４１の長さを規定している。
【００７７】
図１０中の左右方向の中央左側に位置するサブグリッド２４１ａの先端部は、サブグリッド２４１ａと一点鎖線１２との交点１２ａを中心として、第２電極パッド２５０の外形と外接する仮想円２２ａの内側に位置している。
【００７８】
サブグリッド２４１ａの図１０中の左隣に位置するサブグリッド２４１ｂの先端部は、サブグリッド２４１ｂと一点鎖線１２との交点１２ｂを中心として、第２電極パッド２５０の外形と外接する仮想円２２ｂの内側に位置している。
【００７９】
サブグリッド２４１ｂの図１０中の左隣に位置するサブグリッド２４１ｃの先端部は、サブグリッド２４１ｃと一点鎖線１２との交点１２ｃを中心として、第２電極パッド２５０の外形と外接する仮想円２２ｃの内側に位置している。
【００８０】
サブグリッド２４１ｃの図１０中の左隣に位置するサブグリッド２４１ｄの先端部は、サブグリッド２４１ｄと一点鎖線１２との交点１２ｄを中心として、第２電極パッド２５０の外形と外接する仮想円２２ｄの内側に位置している。
【００８１】
サブグリッド２４１ｄの図１０中の左隣に位置するサブグリッド２４１ｅの先端部は、サブグリッド２４１ｅと一点鎖線１２との交点１２ｅを中心として、第２電極パッド２５０の外形と外接する仮想円２２ｅの内側に位置している。
【００８２】
仮想円２２ｅの半径は略Ｌｃ／３であるため、複数のサブグリッド２４１のうち、サブグリッド２４１ｅの図１０中の左側に位置するサブグリッド２４１は、サブグリッド２４１ｅと同じ長さで形成されている。
【００８３】
同様に、図１０中の左右方向の中央右側に位置するサブグリッド２４１ｆの先端部は、サブグリッド２４１ｆと一点鎖線１２との交点１２ｆを中心として、第２電極パッド２５０の外形と外接する仮想円２２ｆの内側に位置している。
【００８４】
サブグリッド２４１ｆの図１０中の右隣に位置するサブグリッド２４１ｇの先端部は、サブグリッド２４１ｇと一点鎖線１２との交点１２ｇを中心として、第２電極パッド２５０の外形と外接する仮想円２２ｇの内側に位置している。
【００８５】
サブグリッド２４１ｇの図１０中の右隣に位置するサブグリッド２４１ｈの先端部は、サブグリッド２４１ｈと一点鎖線１２との交点１２ｈを中心として、第２電極パッド２５０の外形と外接する仮想円２２ｈの内側に位置している。
【００８６】
サブグリッド２４１ｈの図１０中の右隣に位置するサブグリッド２４１ｉの先端部は、サブグリッド２４１ｉと一点鎖線１２との交点１２ｉを中心として、第２電極パッド２５０の外形と外接する仮想円２２ｉの内側に位置している。
【００８７】
サブグリッド２４１ｉの図１０中の右隣に位置するサブグリッド２４１ｊの先端部は、サブグリッド２４１ｊと一点鎖線１２との交点１２ｊを中心として、第２電極パッド２５０の外形と外接する仮想円２２ｊの内側に位置している。
【００８８】
仮想円２２ｊの半径は略Ｌｃ／３であるため、複数のサブグリッド２４１のうち、サブグリッド２４１ｊの図１０中の右側に位置するサブグリッド２４１は、サブグリッド２４１ｊと同じ長さで形成されている。
【００８９】
このように、第２電極パッド２５０およびグリッド電極が互いの間の距離を維持するように形成されていることにより、グリッド電極の先端部が光電変換層２３０の図１０中の下端側の縁からＬｃ／３未満の範囲内において剥離した際に、グリッド電極の先端部と第２電極パッド２５０とが接触することがないため、薄膜化合物太陽電池２００が短絡することを防止できる。その結果、サブグリッド２４１に剥離が生じた場合のほとんどにおいて、薄膜化合物太陽電池２００の短絡発生を抑制できる。
【００９０】
以下、本発明の実施形態３に係る薄膜化合物太陽電池について説明する。なお、本実施形態に係る薄膜化合物太陽電池３００は、第２電極パッドの形状のみ実施形態１に係る薄膜化合物太陽電池１００と異なるため、他の構成については説明を繰り返さない。
【００９１】
(実施形態３)
図１１は、本発明の実施形態３に係る薄膜化合物太陽電池を受光面側から見た平面図である。図１２は、本実施形態においてサブグリッドの先端部と第２電極パッドとの位置関係を示す平面図である。なお、図１２においては、図１２中の上下方向における光電変換層３３０の長さをＬｃとして、光電変換層３３０の図１２中の下端からＬｃ／３の位置を一点鎖線１３で示している。
【００９２】
図１１に示すように、本実施形態においては、光電変換層３３０および基材３１０は、平面視において矩形状の外形を有している。第１電極パッド３４０は、平面視において正方形の外形を有している。第２電極パッド３５０は、平面視において半楕円形の外形を有している。なお、本実施形態の第２電極パッド３５０は、実施形態１の第２電極パッド１５０と同一の面積を有しており、インターコネクタとの接触面積は実施形態１の第２電極パッド１５０と同一である。グリッド電極は、平面視において櫛歯状の形状を有している。グリッド電極は、メイングリッド３４２およびサブグリッド３４１を含む。
【００９３】
第２電極パッド３５０およびグリッド電極は、サブグリッド３４１の先端部が光電変換層３３０の図１１中の下端側の縁から所定の範囲内において剥離した際にサブグリッド３４１の先端部と第２電極パッド３５０とが接触しないように、互いの間の距離を維持するように形成されている。
【００９４】
上記の比較形態の図６に示す結果から、本実施形態においては、サブグリッド３４１が図１１中の下端側の縁からＬｃ／３未満の範囲内において剥離した際にサブグリッド３４１の先端部と第２電極パッド３５０とが接触しないように、第２電極パッド３５０およびグリッド電極を形成している。ただし、上記所定の範囲は、サブグリッドの細さおよび厚さなどの様々な要素により適宜設定されるものである。
【００９５】
図１２に示すように、第２電極パッド３５０は、長径がＬ3、短径がＬ4の半楕円形の外形を有している。複数のサブグリッド３４１は、第２電極パッド３５０から離れるにしたがって長くなるように形成されている。
【００９６】
本実施形態においては、サブグリッド３４１と一点鎖線１３との交点を中心として、第２電極パッド３５０の外形と外接する仮想円の内側にサブグリッド３４１の先端部を配置している。
【００９７】
また、サブグリッド３４１が長い方が電流の取り出し効率がよくなるため、サブグリッド３４１の先端が上記仮想円上に位置していることが好ましい。すなわち、サブグリッド３４１が図１２中の下端側の縁からＬｃ／３の長さだけ剥離した場合に第２電極パッド３５０の外形と外接するように、サブグリッド３４１の長さを規定することが好ましい。
【００９８】
具体的には、本実施形態において以下のように複数のサブグリッド３４１の長さを規定している。
【００９９】
複数のサブグリッド３４１のうち、図１２中の左右方向の中央に位置する２本のサブグリッド３４１は、第１電極パッド３４０と第２電極パッド３５０とを結ぶ直線上に略位置しており、かつ、第２電極パッド３５０とサブグリッド３４１の先端部との間に間隔を有している。そのため、この中央に位置する２本のサブグリッド３４１の先端部が剥離したとしても、その先端部が第２電極パッド３５０に接触することはない。
【０１００】
図１２中の左右方向の中央に位置する上記の２本のサブグリッド３４１の左隣に位置するサブグリッド３４１ａの先端部は、サブグリッド３４１ａと一点鎖線１３との交点１３ａを中心として、第２電極パッド３５０の外形と外接する仮想円２３ａの内側に位置している。
【０１０１】
サブグリッド３４１ａの図１２中の左隣に位置するサブグリッド３４１ｂの先端部は、サブグリッド３４１ｂと一点鎖線１３との交点１３ｂを中心として、第２電極パッド３５０の外形と外接する仮想円２３ｂの内側に位置している。
【０１０２】
サブグリッド３４１ｂの図１２中の左隣に位置するサブグリッド３４１ｃの先端部は、サブグリッド３４１ｃと一点鎖線１３との交点１３ｃを中心として、第２電極パッド３５０の外形と外接する仮想円２３ｃの内側に位置している。
【０１０３】
サブグリッド３４１ｃの図１２中の左隣に位置するサブグリッド３４１ｄの先端部は、サブグリッド３４１ｄと一点鎖線１３との交点１３ｄを中心として、第２電極パッド３５０の外形と外接する仮想円２３ｄの内側に位置している。
【０１０４】
仮想円２３ｄの半径は略Ｌｃ／３であるため、複数のサブグリッド３４１のうち、サブグリッド３４１ｄの図１２中の左側に位置するサブグリッド３４１は、サブグリッド３４１ｄと同じ長さで形成されている。
【０１０５】
同様に、図１２中の左右方向の中央に位置する上記の２本のサブグリッド３４１の右隣に位置するサブグリッド３４１ｅの先端部は、サブグリッド３４１ｅと一点鎖線１３との交点１３ｅを中心として、第２電極パッド３５０の外形と外接する仮想円２３ｅの内側に位置している。
【０１０６】
サブグリッド３４１ｅの図１２中の右隣に位置するサブグリッド３４１ｆの先端部は、サブグリッド３４１ｆと一点鎖線１３との交点１３ｆを中心として、第２電極パッド３５０の外形と外接する仮想円２３ｆの内側に位置している。
【０１０７】
サブグリッド３４１ｆの図１２中の右隣に位置するサブグリッド３４１ｇの先端部は、サブグリッド３４１ｇと一点鎖線１３との交点１３ｇを中心として、第２電極パッド３５０の外形と外接する仮想円２３ｇの内側に位置している。
【０１０８】
サブグリッド３４１ｇの図１２中の右隣に位置するサブグリッド３４１ｈの先端部は、サブグリッド３４１ｈと一点鎖線１３との交点１３ｈを中心として、第２電極パッド３５０の外形と外接する仮想円２３ｈの内側に位置している。
【０１０９】
仮想円２３ｈの半径は略Ｌｃ／３であるため、複数のサブグリッド３４１のうち、サブグリッド３４１ｈの図１２中の右側に位置するサブグリッド３４１は、サブグリッド３４１ｈと同じ長さで形成されている。
【０１１０】
このように、第２電極パッド３５０およびグリッド電極が互いの間の距離を維持するように形成されていることにより、グリッド電極の先端部が光電変換層３３０の図１２中の下端側の縁からＬｃ／３未満の範囲内において剥離した際に、グリッド電極の先端部と第２電極パッド３５０とが接触することがないため、薄膜化合物太陽電池３００が短絡することを防止できる。その結果、サブグリッド３４１に剥離が生じた場合のほとんどにおいて、薄膜化合物太陽電池３００の短絡発生を抑制できる。
【０１１１】
以下、本発明の実施形態４に係る薄膜化合物太陽電池について説明する。なお、本実施形態に係る薄膜化合物太陽電池４００は、第２電極パッドの形状のみ実施形態１に係る薄膜化合物太陽電池１００と異なるため、他の構成については説明を繰り返さない。
【０１１２】
(実施形態４)
図１３は、本発明の実施形態４に係る薄膜化合物太陽電池を受光面側から見た平面図である。図１４は、本実施形態においてサブグリッドの先端部と第２電極パッドとの位置関係を示す平面図である。なお、図１４においては、図１４中の上下方向における光電変換層４３０の長さをＬｃとして、光電変換層４３０の図１４中の下端からＬｃ／３の位置を一点鎖線１４で示している。
【０１１３】
図１３に示すように、本実施形態においては、光電変換層４３０および基材４１０は、平面視において矩形状の外形を有している。第１電極パッド４４０は、平面視において正方形の外形を有している。第２電極パッド４５０は、平面視において台形の外形を有している。なお、本実施形態の第２電極パッド４５０は、実施形態１の第２電極パッド１５０と同一の面積を有しており、インターコネクタとの接触面積は実施形態１の第２電極パッド１５０と同一である。グリッド電極は、平面視において櫛歯状の形状を有している。グリッド電極は、メイングリッド４４２およびサブグリッド４４１を含む。
【０１１４】
第２電極パッド４５０およびグリッド電極は、サブグリッド４４１の先端部が光電変換層４３０の図１３中の下端側の縁から所定の範囲内において剥離した際にサブグリッド４４１の先端部と第２電極パッド４５０とが接触しないように、互いの間の距離を維持するように形成されている。
【０１１５】
上記の比較形態の図６に示す結果から、本実施形態においては、サブグリッド４４１が図１３中の下端側の縁からＬｃ／３未満の範囲内において剥離した際にサブグリッド４４１の先端部と第２電極パッド４５０とが接触しないように、第２電極パッド４５０およびグリッド電極を形成している。ただし、上記所定の範囲は、サブグリッドの細さおよび厚さなどの様々な要素により適宜設定されるものである。
【０１１６】
図１４に示すように、第２電極パッド４５０は、下底の長さがＬ5、上底の長さがＬ6、高さがＬ7の台形の外形を有している。複数のサブグリッド４４１は、第２電極パッド４５０から離れるにしたがって長くなるように形成されている。
【０１１７】
本実施形態においては、サブグリッド４４１と一点鎖線１４との交点を中心として、第２電極パッド４５０の外形と外接する仮想円の内側にサブグリッド４４１の先端部を配置している。
【０１１８】
また、サブグリッド４４１が長い方が電流の取り出し効率がよくなるため、サブグリッド４４１の先端が上記仮想円上に位置していることが好ましい。すなわち、サブグリッド４４１が図１４中の下端側の縁からＬｃ／３の長さだけ剥離した場合に第２電極パッド４５０の外形と外接するように、サブグリッド４４１の長さを規定することが好ましい。
【０１１９】
具体的には、本実施形態において以下のように複数のサブグリッド４４１の長さを規定している。
【０１２０】
複数のサブグリッド４４１のうち、図１４中の左右方向の中央に位置する２本のサブグリッド４４１は、第１電極パッド４４０と第２電極パッド４５０とを結ぶ直線上に略位置しており、かつ、第２電極パッド４５０とサブグリッド４４１の先端部との間に間隔を有している。そのため、この中央に位置する２本のサブグリッド４４１の先端部が剥離したとしても、その先端部が第２電極パッド４５０に接触することはない。
【０１２１】
図１４中の左右方向の中央に位置する上記の２本のサブグリッド４４１の左隣に位置するサブグリッド４４１ａの先端部は、サブグリッド４４１ａと一点鎖線１４との交点１４ａを中心として、第２電極パッド４５０の外形と外接する仮想円２４ａの内側に位置している。
【０１２２】
サブグリッド４４１ａの図１４中の左隣に位置するサブグリッド４４１ｂの先端部は、サブグリッド４４１ｂと一点鎖線１４との交点１４ｂを中心として、第２電極パッド４５０の外形と外接する仮想円２４ｂの内側に位置している。
【０１２３】
サブグリッド４４１ｂの図１４中の左隣に位置するサブグリッド４４１ｃの先端部は、サブグリッド４４１ｃと一点鎖線１４との交点１４ｃを中心として、第２電極パッド４５０の外形と外接する仮想円２４ｃの内側に位置している。
【０１２４】
サブグリッド４４１ｃの図１４中の左隣に位置するサブグリッド４４１ｄの先端部は、サブグリッド４４１ｄと一点鎖線１４との交点１４ｄを中心として、第２電極パッド４５０の外形と外接する仮想円２４ｄの内側に位置している。
【０１２５】
仮想円２４ｄの半径は略Ｌｃ／３であるため、複数のサブグリッド４４１のうち、サブグリッド４４１ｄの図１４中の左側に位置するサブグリッド４４１は、サブグリッド４４１ｄと同じ長さで形成されている。
【０１２６】
同様に、図１４中の左右方向の中央に位置する上記の２本のサブグリッド４４１の右隣に位置するサブグリッド４４１ｅの先端部は、サブグリッド４４１ｅと一点鎖線１４との交点１４ｅを中心として、第２電極パッド４５０の外形と外接する仮想円２４ｅの内側に位置している。
【０１２７】
サブグリッド４４１ｅの図１４中の右隣に位置するサブグリッド４４１ｆの先端部は、サブグリッド４４１ｆと一点鎖線１４との交点１４ｆを中心として、第２電極パッド４５０の外形と外接する仮想円２４ｆの内側に位置している。
【０１２８】
サブグリッド４４１ｆの図１４中の右隣に位置するサブグリッド４４１ｇの先端部は、サブグリッド４４１ｇと一点鎖線１４との交点１４ｇを中心として、第２電極パッド４５０の外形と外接する仮想円２４ｇの内側に位置している。
【０１２９】
サブグリッド４４１ｇの図１４中の右隣に位置するサブグリッド４４１ｈの先端部は、サブグリッド４４１ｈと一点鎖線１４との交点１４ｈを中心として、第２電極パッド４５０の外形と外接する仮想円２４ｈの内側に位置している。
【０１３０】
仮想円２４ｈの半径は略Ｌｃ／３であるため、複数のサブグリッド４４１のうち、サブグリッド４４１ｈの図１４中の右側に位置するサブグリッド４４１は、サブグリッド４４１ｈと同じ長さで形成されている。
【０１３１】
このように、第２電極パッド４５０およびグリッド電極が互いの間の距離を維持するように形成されていることにより、グリッド電極の先端部が光電変換層４３０の図１４中の下端側の縁からＬｃ／３未満の範囲内において剥離した際に、グリッド電極の先端部と第２電極パッド４５０とが接触することがないため、薄膜化合物太陽電池４００が短絡することを防止できる。その結果、サブグリッド４４１に剥離が生じた場合のほとんどにおいて、薄膜化合物太陽電池４００の短絡発生を抑制できる。
【０１３２】
以下、本発明の実施形態５に係る薄膜化合物太陽電池について説明する。なお、本実施形態に係る薄膜化合物太陽電池５００は、第２電極パッドの形状のみ実施形態１に係る薄膜化合物太陽電池１００と異なるため、他の構成については説明を繰り返さない。
【０１３３】
(実施形態５)
図１５は、本発明の実施形態５に係る薄膜化合物太陽電池を受光面側から見た平面図である。図１６は、本実施形態においてサブグリッドの先端部と第２電極パッドとの位置関係を示す平面図である。なお、図１６においては、図１６中の上下方向における光電変換層５３０の長さをＬｃとして、光電変換層５３０の図１６中の下端からＬｃ／３の位置を一点鎖線１５で示している。
【０１３４】
図１５に示すように、本実施形態においては、光電変換層５３０および基材５１０は、平面視において矩形状の外形を有している。第１電極パッド５４０は、平面視において正方形の外形を有している。第２電極パッド５５０は、平面視において長方形の外形を有している。なお、本実施形態の第２電極パッド５５０は、実施形態１の第２電極パッド１５０と同一の面積を有しており、インターコネクタとの接触面積は実施形態１の第２電極パッド１５０と同一である。グリッド電極は、平面視において櫛歯状の形状を有している。グリッド電極は、メイングリッド５４２およびサブグリッド５４１を含む。
【０１３５】
第２電極パッド５５０およびグリッド電極は、サブグリッド５４１の先端部が光電変換層５３０の図１５中の下端側の縁から所定の範囲内において剥離した際にサブグリッド５４１の先端部と第２電極パッド５５０とが接触しないように、互いの間の距離を維持するように形成されている。
【０１３６】
上記の比較形態の図６に示す結果から、本実施形態においては、サブグリッド５４１が図１５中の下端側の縁からＬｃ／３未満の範囲内において剥離した際にサブグリッド５４１の先端部と第２電極パッド５５０とが接触しないように、第２電極パッド５５０およびグリッド電極を形成している。ただし、上記所定の範囲は、サブグリッドの細さおよび厚さなどの様々な要素により適宜設定されるものである。
【０１３７】
図１６に示すように、第２電極パッド５５０は、長辺の長さがＬ8、短辺の長さがＬ9の長方形の外形を有している。複数のサブグリッド５４１は、第２電極パッド５５０から離れるにしたがって長くなるように形成されている。
【０１３８】
本実施形態においては、サブグリッド５４１と一点鎖線１５との交点を中心として、第２電極パッド５５０の外形と外接する仮想円の内側にサブグリッド５４１の先端部を配置している。
【０１３９】
また、サブグリッド５４１が長い方が電流の取り出し効率がよくなるため、サブグリッド５４１の先端が上記仮想円上に位置していることが好ましい。すなわち、サブグリッド５４１が図１６中の下端側の縁からＬｃ／３の長さだけ剥離した場合に第２電極パッド５５０の外形と外接するように、サブグリッド５４１の長さを規定することが好ましい。
【０１４０】
具体的には、本実施形態において以下のように複数のサブグリッド５４１の長さを規定している。
【０１４１】
複数のサブグリッド５４１のうち、図１６中の左右方向の中央に位置する４本のサブグリッド５４１は、第１電極パッド５４０と第２電極パッド５５０とを結ぶ直線上に略位置しており、かつ、第２電極パッド５５０とサブグリッド５４１の先端部との間に間隔を有している。そのため、この中央に位置する４本のサブグリッド５４１の先端部が剥離したとしても、その先端部が第２電極パッド５５０に接触することはない。
【０１４２】
図１６中の左右方向の中央に位置する上記の４本のサブグリッド５４１の左隣に位置するサブグリッド５４１ａの先端部は、サブグリッド５４１ａと一点鎖線１５との交点１５ａを中心として、第２電極パッド５５０の外形と外接する仮想円２５ａの内側に位置している。
【０１４３】
サブグリッド５４１ａの図１６中の左隣に位置するサブグリッド５４１ｂの先端部は、サブグリッド５４１ｂと一点鎖線１５との交点１５ｂを中心として、第２電極パッド５５０の外形と外接する仮想円２５ｂの内側に位置している。
【０１４４】
サブグリッド５４１ｂの図１６中の左隣に位置するサブグリッド５４１ｃの先端部は、サブグリッド５４１ｃと一点鎖線１５との交点１５ｃを中心として、第２電極パッド５５０の外形と外接する仮想円２５ｃの内側に位置している。
【０１４５】
サブグリッド５４１ｃの図１６中の左隣に位置するサブグリッド５４１ｄの先端部は、サブグリッド５４１ｄと一点鎖線１５との交点１５ｄを中心として、第２電極パッド５５０の外形と外接する仮想円２５ｄの内側に位置している。
【０１４６】
仮想円２５ｄの半径は略Ｌｃ／３であるため、複数のサブグリッド５４１のうち、サブグリッド５４１ｄの図１６中の左側に位置するサブグリッド５４１は、サブグリッド５４１ｄと同じ長さで形成されている。
【０１４７】
同様に、図１６中の左右方向の中央に位置する上記の４本のサブグリッド５４１の右隣に位置するサブグリッド５４１ｅの先端部は、サブグリッド５４１ｅと一点鎖線１５との交点１５ｅを中心として、第２電極パッド５５０の外形と外接する仮想円２５ｅの内側に位置している。
【０１４８】
サブグリッド５４１ｅの図１６中の右隣に位置するサブグリッド５４１ｆの先端部は、サブグリッド５４１ｆと一点鎖線１５との交点１５ｆを中心として、第２電極パッド５５０の外形と外接する仮想円２５ｆの内側に位置している。
【０１４９】
サブグリッド５４１ｆの図１６中の右隣に位置するサブグリッド５４１ｇの先端部は、サブグリッド５４１ｇと一点鎖線１５との交点１５ｇを中心として、第２電極パッド５５０の外形と外接する仮想円２５ｇの内側に位置している。
【０１５０】
サブグリッド５４１ｇの図１６中の右隣に位置するサブグリッド５４１ｈの先端部は、サブグリッド５４１ｈと一点鎖線１５との交点１５ｈを中心として、第２電極パッド５５０の外形と外接する仮想円２５ｈの内側に位置している。
【０１５１】
仮想円２５ｈの半径は略Ｌｃ／３であるため、複数のサブグリッド５４１のうち、サブグリッド５４１ｈの図１６中の右側に位置するサブグリッド５４１は、サブグリッド５４１ｈと同じ長さで形成されている。
【０１５２】
このように、第２電極パッド５５０およびグリッド電極が互いの間の距離を維持するように形成されていることにより、グリッド電極の先端部が光電変換層５３０の図１６中の下端側の縁からＬｃ／３未満の範囲内において剥離した際に、グリッド電極の先端部と第２電極パッド５５０とが接触することがないため、薄膜化合物太陽電池５００が短絡することを防止できる。その結果、サブグリッド５４１に剥離が生じた場合のほとんどにおいて、薄膜化合物太陽電池５００の短絡発生を抑制できる。
【０１５３】
以下、本発明の実施形態６に係る薄膜化合物太陽電池について説明する。なお、本実施形態に係る薄膜化合物太陽電池６００は、第１電極パッドならびに第２電極パッドの位置およびグリッド電極の形状のみ実施形態１に係る薄膜化合物太陽電池１００と異なるため、他の構成については説明を繰り返さない。
【０１５４】
(実施形態６)
図１７は、本発明の実施形態６に係る薄膜化合物太陽電池を受光面側から見た平面図である。図１７に示すように、本発明の実施形態６に係る薄膜化合物太陽電池６００においては、光電変換層６３０および基材６１０は、平面視において矩形状の外形を有している。
【０１５５】
第１電極パッド６４０は、平面視において光電変換層６３０の図１７中の上端側の右側隅部に位置している。第２電極パッド６５０は、平面視において光電変換層６３０の図１７中の下端側の左側隅部に位置している。すなわち、第１電極パッド６４０と第２電極パッド６５０とは、光電変換層６３０の平面視において対角に位置している。なお、第１電極パッド６４０が図１７中の左側に位置し、第２電極パッド６５０が図１７中の右側に位置してもよい。
【０１５６】
また、第１電極パッド６４０および第２電極パッド６５０は、平面視において正方形の外形を有している。ただし、第１電極パッド６４０および第２電極パッド６５０の平面視形状は、正方形に限られず、それぞれ異なる形状を有していてもよい。
【０１５７】
グリッド電極は、平面視において、光電変換層６３０の図１７中の上端側の右側隅部を構成する互いに直交する縁に沿って延在するメイングリッド６４２、および、メイングリッド６４２の延在方向と直交する方向に延在するサブグリッド６４１を含む。
【０１５８】
具体的には、グリッド電極は、平面視において、光電変換層６３０の図１７中の上端側の縁に沿って左右方向に延在、および、図１７中の右端側の縁に沿って上下方向に延在するメイングリッド６４２を含んでいる。
【０１５９】
また、グリッド電極は、平面視において、図１７中の左右方向に延在するメイングリッド６４２の一部と繋がって図１７中の上下方向に延在するサブグリッド６４１、および、図１７中の上下方向に延在するメイングリッド６４２の一部と繋がって図１７中の左右方向に延在するサブグリッド６４１を含んでいる。上下方向に延在するサブグリッド６４１と、左右方向に延在するサブグリッド６４１との境界が、第１電極パッド６４０と第２電極パッド６５０とを結ぶ線上に位置している。
【０１６０】
なお、グリッド電極は、第１電極パッド６４０が図１７中の左側に位置し、かつ、第２電極パッド６５０が図１７中の右側に位置する場合には、それに対応して左右反対に形成される。
【０１６１】
サブグリッド６４１の先端部は、平面視において、第２電極パッド６５０との間に間隔を有している。
【０１６２】
上記のように、本実施形態においては，第２電極パッド６５０を光電変換層６３０の隅部に配置し、サブグリッド６４１を第２電極パッド６５０の位置する隅部を構成する互いに直交する縁に沿う方向に平行に延在するように設けている。
【０１６３】
よって、図１７中の上下方向に延在するサブグリッド６４１は、第１電極パッド６４０と第２電極パッド６５０とを結ぶ線より上方にのみ位置し、第２電極パッド６５０から離れた距離と略同じ長さの分だけ短く形成されている。
【０１６４】
図１７中の左右方向に延在するサブグリッド６４１は、第１電極パッド６４０と第２電極パッド６５０とを結ぶ線より下方にのみ位置し、第２電極パッド６５０から離れた距離と略同じ長さの分だけ短く形成されている。
【０１６５】
その結果、これらのサブグリッド６４１の先端部が剥離したとしても、その先端部が第２電極パッド６５０に接触することはない。
【０１６６】
すなわち、本実施形態においては、第２電極パッド６５０およびグリッド電極が互いの間の距離を維持するように形成されていることにより、グリッド電極の先端部が光電変換層６３０の図１７中の縁からいずれの範囲内において剥離した場合においても、グリッド電極の先端部と第２電極パッド６５０とが接触することがないため、薄膜化合物太陽電池６００が短絡することを防止できる。
【０１６７】
今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１６８】
１００，２００，３００，４００，５００，６００，９００  薄膜化合物太陽電池、１１０，２１０，３１０，４１０，５１０，６１０，９１０  基材、１３０，２３０，３３０，４３０，５３０，６３０，９３０  光電変換層、１４０，２４０，３４０，４４０，５４０，６４０，９４０  第１電極パッド、１４１，１４１ａ，１４１ｂ，１４１ｃ，１４１ｄ，１４１ｅ，１４１ｆ，１４１ｇ，１４１ｈ，１４１ｉ，１４１ｊ，２４１，２４１ａ，２４１ｂ，２４１ｃ，２４１ｄ，２４１ｅ，２４１ｆ，２４１ｇ，２４１ｈ，２４１ｉ，２４１ｊ，３４１，３４１ａ，３４１ｂ，３４１ｃ，３４１ｄ，３４１ｅ，３４１ｆ，３４１ｇ，３４１ｈ，４４１，４４１ａ，４４１ｂ，４４１ｃ，４４１ｄ，４４１ｅ，４４１ｆ，４４１ｇ，４４１ｈ，５４１，５４１ａ，５４１ｂ，５４１ｃ，５４１ｄ，５４１ｅ，５４１ｆ，５４１ｇ，５４１ｈ，６４１，９４１  サブグリッド、１４２，２４２，３４２，４４２，５４２，６４２，９４２  メイングリッド、１５０，２５０，３５０，４５０，５５０，６５０，９５０  第２電極パッド、９２０  裏面電極、９４１ａ  先端部、９６０  接着剤、９７０  樹脂フィルム、９８０  ガラス板、９９０  インターコネクタ。
【図１】
2013247223.tif 000003
【図２】
2013247223.tif 000004
【図３】
2013247223.tif 000005
【図４】
2013247223.tif 000006
【図５】
2013247223.tif 000007
【図６】
2013247223.tif 000008
【図７】
2013247223.tif 000009
【図８】
2013247223.tif 000010
【図９】
2013247223.tif 000011
【図１０】
2013247223.tif 000012
【図１１】
2013247223.tif 000013
【図１２】
2013247223.tif 000014
【図１３】
2013247223.tif 000015
【図１４】
2013247223.tif 000016
【図１５】
2013247223.tif 000017
【図１６】
2013247223.tif 000018
【図１７】
2013247223.tif 000019